(57)【特許請求の範囲】
【請求項１】
シリンダ錠を担持したカップ状のシリンダ筒を、開口端を内側にして扉外面に開口したシリンダ筒挿通穴に差し通し、錠箱の側板を貫通するようにして錠箱に固定すると共に、全体を化粧リングによって被覆したものにおいて、上記シリンダ筒挿通穴と嵌合するフランジ付の浅いカップ状で、底面にシリンダ筒と嵌合するシリンダ筒開口を形成し、フランジを外側にしてシリンダ筒挿通穴に嵌装される第１閉塞部材と、この第１閉塞部材の外側に配設され、シリンダ筒と嵌合する環状の第２閉塞部材とを有し、これら第１及び第２閉塞部材を中心軸を含む平面により二つに分割し、夫々の一端を中心軸に平行な回動軸により他端が拡開可能にリンク結合し、夫々拡開してシリンダ筒に巻装し、他端を閉じることによりシリンダ筒に装着するようにしたことを特徴とする扉のシリンダ筒挿通穴閉塞装置。
【発明の詳細な説明】
【０００１】
【発明の属する技術分野】
この発明は、扉のシリンダ筒挿通穴閉塞装置（以下単に閉塞装置という）に係り、特に、簡単な構造で容易に扉の外面におけるシリンダ筒挿通穴を閉塞することができ、錠前の安全性を向上させることができる閉塞装置に関する。
【０００２】
【従来の技術】
シリンダ錠の扉への装着の態様は、例えば図１に示すように、シリンダ錠１を収納したカップ状のシリンダ筒２を、錠箱３の側板及び扉４を貫通させて扉面外に突出させ、その突出部分を化粧リング５で覆う構造である。
【０００３】
ちなみに、シリンダ筒２そのものは、その開口端縁部外周面に形成された取付ブロック１０、１０及び錠箱３を貫通する装着杆６、６を介して錠箱３に固定される。
【０００４】
また、他のシリンダ筒２の固定方法は、例えば図２に示すように、その開口端縁外周部に形成された雄ねじ部６０を、錠箱３の側面部に設けられた図示しない雌ねじ部に螺合させ、これも図示しないセットビスにより扉の自由側端縁側から固定する。
【０００５】
しかして、或種の高級な扉においては、化粧リングの代りに、エスカチオン（化粧座板：図示せず）を装着する場合がある。
【０００６】
このエスカチオンは、通常、縦長の板材で、表面に彫刻等の装飾が施されており、室内側から取付ビスで扉外面に呼びつけられるようにして装着される。
【０００７】
【発明が解決しようとする課題】
ところが、錠箱３の寸法及びエスカチオンの取付ビスの位置は事実上一定に定まっており、図３に示すように、取付ビスの位置は生憎錠箱の上端を掠めるような位置にある。
【０００８】
そのため、図３に示すように、エスカチオンの取付ビスとの干渉を避けるため、錠箱３の天井板３ａにビス溝７を、錠箱の側板３ｂの上端にビス孔８を夫々形成しなければならないが、これらビス溝７及びビス孔８は化粧リングを用いる扉用の錠箱には必要無いものである。
【０００９】
なお、図３においてはビス孔８は矩形であるが、取付ビスの横断面形状に応じて半円形のビス孔もあるし、Ｕ字形のものもある。
【００１０】
しかしながら、同じ機構の錠箱でありながら取付ビス用のビス溝７及びビス孔８を形成したものとしないものとを別個に製造することは、コストの上昇の原因にもなるし、また、管理も困難になるので、化粧リングを装着する扉用の錠箱にもビス溝及びビス孔を形成している。
【００１１】
なお、これらビス溝７及びビス孔８は、図３に示すように、デッドボルト等の錠止部材を操作するデッドカム９の近傍に開口している。
【００１２】
一方、図１及び図２に示すように、扉４の外面にはシリンダ筒２や取付ブロック１０を通すためのシリンダ筒挿通穴１１が開口しており、シリンダ錠装着時扉外面側からシリンダ筒の取付ブロック１０を錠箱３内に差込み、或いは捩じ込み、扉の自由側端縁側から前記装着杆６、６を取付ブロック１０に差し通したり、セットビスで固定する構造である。
【００１３】
そのため、化粧リングの可動部を持上げ、特殊な形状をした針金の先端部を、シリンダ筒挿通穴１１及び扉の外面と錠箱３との間を通して、上記ビス溝７から錠箱３内に挿入すると、これを引くことによりデッドボルトが引込むので、不正解錠が不可能ではなく、したがって錠前の防犯性が失われる、という不都合がある。
【００１４】
なお、この不正解錠の方法は、これを公表すると防犯上問題があるし、また、実用新案登録第３０８０８９９号に係る登録実用新案公報に記載されているので、ここではその記載を省略する。
【００１５】
この発明は、上記した扉外面に開口したシリンダ筒挿通穴１１を閉塞する簡単な構造で、しかも既設の扉にも適用できる閉塞装置を提供することを目的としている。
【００１６】
【課題を解決するための手段】
上記の目的を達成するため、請求項１に記載の発明は、シリンダ錠を担持したカップ状のシリンダ筒を、開口端を内側にして扉外面に開口したシリンダ筒挿通穴に差し通し、錠箱の側板を貫通するようにして錠箱に固定すると共に、全体を化粧リングによって被覆したものにおいて、上記シリンダ筒挿通穴と嵌合するフランジ付の浅いカップ状で、底面にシリンダ筒と嵌合するシリンダ筒開口を形成し、フランジを外側にしてシリンダ筒挿通穴に嵌装される第１閉塞部材と、この第１閉塞部材の外側に配設され、シリンダ筒と嵌合する環状の第２閉塞部材とを有し、これら第１及び第２閉塞部材を中心軸を含む平面により二つに分割し、夫々の一端を中心軸に平行な回動軸により他端が拡開可能にリンク結合し、夫々拡開してシリンダ筒に巻装し、他端を閉じることによりシリンダ筒に装着するようにしたことを特徴とする。
【００１７】
【実施例】
以下、この発明の実施例を図４乃至図１０を参照して説明する。
図４及び図５において符号１２は常態における第１閉塞部材を示し、この第１閉塞部材１２は、フランジ１２ａを有する薄肉の浅いカップ状の部材で、底面にシリンダ筒２と嵌合するシリンダ筒開口１３が形成されている。
【００１８】
また、この第１閉塞部材１２はその中心軸を含む平面により二つに分割され、分割された結果形成された一対の半円形の部材は、夫々の一端を中心軸に平行な回動軸により回動可能に、換言すれば、他端が拡開できるようにリンク結合されている。
【００１９】
図示の実施例では、一方の半円形の部材の底面の一端にバーリングにより細い筒状の回動軸が形成され（図示せず）、この回動軸が他方の半円形の部材の底面に開口したこれも図示しない開口と嵌合し、更に、他方の部材の開口を突き抜けた回動軸の先端をかしめて抜け止めを施している。
【００２０】
或いは、一対の半円形の部材の夫々の一端を底面が相互に重合できるように形成し、この重合した底面を遊嵌する別部材のピンを回動軸としても良い（図示せず）。
【００２１】
なお、図示の実施例では、シリンダ筒開口１３の開口端縁に４個のばね止め片１４、１４が一体に形成されており、図４及び図５に示すように、これらのばね止め片１４、１４の外側に、これらに外接するようにして、一部が開いた環状のばねリング１５が巻装されている。
【００２２】
このばねリング１５の弾力により、図４及び図５に示すように、第１閉塞部材１２を構成する一対の半円形の部材の自由端が閉じてリング状になるように付勢されている。
【００２３】
一方、例えば手指により第１閉塞部材１２の自由端を相互に離間する方向に開くと、図６に示すように、一対の半円形の部材は全体として略３の字形（以下単に３字形という）となるように拡開し、この開いた部分をシリンダ筒２が通過できるようになっている。
【００２４】
なお、図示の実施例では、例えば図４に示すように、一通の半円形の部材の拘束端のフランジ部分が斜めに削がれ、図６に示すように第１閉塞部材１２を拡開したとき、この斜めに削がれた端縁部が相互に接合して、第１閉塞部材の拡開量が過大にならないように制限している。
【００２５】
他方、前記第２閉塞部材１６は、図７及び図８に示すように、常態では環状の厚板部材であり、その内径は前記シリンダ筒２と嵌合するか或いは僅かな隙間を保って遊嵌できるように、外径は第１閉塞部材１２と同じ程度に、夫々設定されている。
【００２６】
なお、ここでは僅かな隙間を保って遊嵌している状態も嵌合という概念に含めるものとする。
【００２７】
この第２閉塞部材１６も、上記第１閉塞部材１２と同様に、一対の半円形の部材の一端を回動可能にリンク結合してなり、図９に示すように、他端が拡開してその開脚部をシリンダ筒２が通過できるように構成されている。
【００２８】
ちなみに、上記リンク結合部は、図示の実施例では、一方の半円形の部材（図７で左側の部材）上端裏側の肉を盗んで薄肉略Ｕ字形に成形し、その先端の付番しない溝を円弧の一部をなすように形成すると共に、その円弧が中心を見込む角度を１８０度以上に設定する。
【００２９】
一方、他方の右側の半円形の部材の上端を半円形に成形すると共に、表側の肉を盗んで、円形の一部をなし、上記付番しない溝と嵌合する連結部１７を形成し、一方の溝部の弾性変形を利用してこの溝部に連結部１７を嵌め込む。
【００３０】
また、一対の半円形の部材の夫々の自由端に小さな段部付の継手を形成し、これらの自由端を閉じるとき、弾性変形によってこれらの段部が噛み合って、自由端をロックできるように構成されている。
【００３１】
上記のように構成された第１及び第２閉塞部材１２、１６を有する閉塞装置を扉に装着するには、新設の扉の場合でも、シリンダ筒２を扉に装着した後に装着する。
【００３２】
故に、後に述べるように、この発明による閉塞装置は既設の扉にも適用することができる。
【００３３】
すなわち、先ず化粧リング５（図１及び図２参照）の可動部を付勢ばねの弾力に抗して扉外面から離間させ、可動部と扉外面との間の隙間から、フランジ１２ａを外側にして、図６に示すように拡開した第１閉塞部材１２を化粧リング内側に挿入し、手を離す。
【００３４】
すると、第１閉塞部材１２は、ばねリング１５（図４及び図５参照）の弾力によって、シリンダ筒２を包持するようにして自動的にシリンダ筒に装着される。
【００３５】
次いで、化粧リング５内においてシリンダ筒２に巻装された第１閉塞部材１２を内方に押動すると、その筒部を前記シリンダ筒挿通穴１１に嵌合させるようにして、第１閉塞部材１２は扉面内に挿入され、フランジ１２ａが扉外面に当接するに致る（図１０参照）。
【００３６】
その後、化粧リング５の可動部を持上げるのは第１閉塞部材１２と同様にして、化粧リングと扉外面との間の隙間から、図９に示すように自由端部が開いた第２閉塞部材を挿入し、これにシリンダ筒２を包持させるようにして第２閉塞部材１６を閉じる。
【００３７】
すると、図１０に示すように、第１閉塞部材のフランジ１２ａの外側における化粧リング５の内部空間において、自由端をロックされた状態で、第２閉塞部材１６がシリンダ筒２を包持するようにしてこれに装着される。
【００３８】
上記のようにしてこの発明による閉塞装置を化粧リング５内に装着した場合、図１０から明らかなように、化粧リング５の可動部を持上げて扉外面と化粧リングとの間の隙間から針金等を挿入したとしても、第１及び第２閉塞部材１２、１６がシリンダ筒挿通穴１１を完全に封鎖するので、前記した不正解錠が原理上不可能になる。
【００３９】
なお、図１０に示すこの発明による閉塞装置の目的を完全に達成するため、扉４の外面と錠箱３の側面との間の隙間量に応じて第１及び第１閉塞部材１２、１６の左右方向の寸法を適切に設定し、第１閉塞部材１２のカップをシリンダ筒挿通穴１１から完全に抜く前に、化粧リング５の付勢ばねが一杯に縮んでそれ以上縮むことができないようにするとよい。
【００４０】
【発明の効果】
以上の説明から明らかなように、この発明は、フランジ付カップ状の第１閉塞部材をシリンダ筒を包持させるようにしてシリンダ筒挿通穴に嵌合させると共に、第１閉塞部材のフランジの外側に第２閉塞部材を巻装したので、これら第１及び第２閉塞部材によってシリンダ筒挿通穴を完全に封鎖でき、化粧リングと扉外面との間の隙間から針金を挿入し、シリンダ筒挿通穴を通して錠箱に致らしめての不正解錠を完全に防止できる、という所期の効果を奏する。
【００４１】
また、第１及び第２閉塞部材共、拡開してシリンダ筒を包持させ、後にこれを閉じることにより、シリンダ筒の側方からこれに装着できるので、既設の扉のシリンダ筒にもこの発明を適用できる、等種々の効果を奏する。
【図面の簡単な説明】
【図１】シリンダ錠の取付の一例を示す線図的断面図。
【図２】シリンダ筒の取付の他の例を示す線図的断面図。
【図３】錠箱の構造の一例を示す一部側面図。
【図４】第１閉塞部材の平面図。
【図５】第１閉塞部材の断面図。
【図６】拡開した第１閉塞部材の平面図。
【図７】第２閉塞部材の平面図。
【図８】第２閉塞部材の側面図。
【図９】拡開した第２閉塞部材の平面図。
【図１０】この発明による閉塞装置を装着したシリンダ錠の線図的断面図。
【符号の説明】
１  シリンダ錠
２  シリンダ筒
３  錠箱
４  扉
５  化粧リング
６  装着杆
７  ビス溝
８  ビス孔
９  デッドカム
１１  シリンダ筒挿通穴
１２  第１閉塞部材
１２ａ  フランジ
１３  シリンダ筒開口
１４  はね止め片
１５  ばねリング
１６  第２閉塞部材
１７  連結部
【図１】
0004292498.tif 000002
【図２】
0004292498.tif 000003
【図３】
0004292498.tif 000004
【図４】
0004292498.tif 000005
【図５】
0004292498.tif 000006
【図６】
0004292498.tif 000007
【図７】
0004292498.tif 000008
【図８】
0004292498.tif 000009
【図９】
0004292498.tif 000010
【図１０】
0004292498.tif 000011